Podtech/llm-jp-corpus-v4-ja_patent huggingface dataset:
【手続補正書】
【提出日】平成19年9月11日(2007.9.11)
【手続補正１】
【補正対象書類名】特許請求の範囲
【補正対象項目名】全文
【補正方法】変更
【補正の内容】
【特許請求の範囲】
【請求項１】
両端支持部及び中央支持部において回転可能に支持され、駆動力源による回転駆動力が伝達されて回転する搬送駆動ローラと、該搬送駆動ローラの前記中央支持部を被搬送体の搬送経路外で摺接支持する中支え手段とを備え、前記駆動力源の回転駆動力で前記搬送駆動ローラを回転させることによって、前記搬送駆動ローラの外周面に当接している被搬送体が所定の搬送方向へ搬送される搬送装置であって、
前記中支え手段による前記中央支持部の摺接支持位置を前記搬送駆動ローラの回転軸と略直交する方向へ変位調節可能な支持位置調節手段と、
被搬送体の給送手段から給送される被搬送体を前記搬送駆動ローラの外周面へ案内する給送案内面を有する給送案内部材とを備え、
前記支持位置調節手段による前記中支え手段の変位に連動して前記給送案内面が変位する、ことを特徴とした搬送装置。
【請求項２】
両端支持部及び中央支持部において回転可能に支持され、駆動力源による回転駆動力が伝達されて回転する搬送駆動ローラと、該搬送駆動ローラの前記中央支持部を被搬送体の搬送経路外で摺接支持する中支え手段とを備え、前記駆動力源の回転駆動力で前記搬送駆動ローラを回転させることによって、前記搬送駆動ローラの外周面に当接している被搬送体が所定の搬送方向へ搬送される搬送装置であって、
前記中支え手段による前記中央支持部の摺接支持位置を前記搬送駆動ローラの回転軸と略直交する方向へ変位調節可能な支持位置調節手段と、
被搬送体の給送手段から給送される被搬送体を前記搬送駆動ローラの外周面の適正な位置に適正な姿勢で当接させる如く案内する前記搬送駆動ローラの回転軸と略平行な給送案内面を有する給送案内部材とを備え、
前記搬送駆動ローラの外周面と前記給送案内面との間隔が略均等になる如く、前記支持位置調節手段による前記中支え手段の変位に連動して前記給送案内面が少なくとも一部変位する、ことを特徴とした搬送装置。
【請求項３】
請求項１又は２において、前記給送案内部材は、前記搬送駆動ローラの回転軸方向における両端近傍に前記搬送駆動ローラが挿通された状態で支持され、前記搬送駆動ローラの回転軸方向における中央近傍が前記中支え手段に連結支持されている、ことを特徴とした搬送装置。
【請求項４】
請求項１〜３のいずれか１項において、前記搬送駆動ローラの回転によって搬送される被搬送体を所定の搬送経路へ案内する前記搬送駆動ローラの回転軸と略平行な搬送案内面を有する搬送案内部材を備え、
前記搬送駆動ローラの外周面と前記搬送案内面との間隔が略均等になる如く、前記支持位置調節手段による前記中支え手段の変位に連動して前記搬送案内面が撓み変形する、ことを特徴とした搬送装置。
【請求項５】
請求項４において、前記搬送案内部材は、前記搬送駆動ローラの回転軸方向における両端近傍に前記搬送駆動ローラが挿通された状態で支持され、前記搬送駆動ローラの回転軸方向における中央近傍が前記中支え手段に連結支持されている、ことを特徴とした搬送装置。
【請求項６】
両端支持部及び中央支持部において回転可能に支持され、駆動力源による回転駆動力が伝達されて回転する搬送駆動ローラと、該搬送駆動ローラの前記中央支持部を被搬送体の搬送経路外で摺接支持する中支え手段とを備え、前記駆動力源の回転駆動力で前記搬送駆動ローラを回転させることによって、前記搬送駆動ローラの外周面に当接している被搬送体が所定の搬送方向へ搬送される搬送装置であって、
前記中支え手段による前記中央支持部の摺接支持位置を前記搬送駆動ローラの回転軸と略直交する方向へ変位調節可能な支持位置調節手段と、
前記搬送駆動ローラの回転によって搬送される被搬送体を所定の搬送経路へ案内する前記搬送駆動ローラの回転軸と略平行な搬送案内面を有する搬送案内部材とを備え、
前記搬送駆動ローラの外周面と前記搬送案内面との間隔が略均等になる如く、前記支持位置調節手段による前記中支え手段の変位に連動して前記搬送案内面が少なくとも一部変位する、ことを特徴とした搬送装置。
【請求項７】
請求項５又は６において、前記搬送案内部材は、前記搬送駆動ローラの回転軸方向における両端近傍に前記搬送駆動ローラが挿通された状態で支持され、前記搬送駆動ローラの回転軸方向における中央近傍が前記中支え手段に連結支持されている、ことを特徴とした搬送装置。
【請求項８】
請求項１〜７のいずれか１項において、前記搬送駆動ローラの外周面に被搬送体を押圧する被搬送体押圧手段を備え、
前記中支え手段は、前記被搬送体押圧手段による被搬送体の押圧力に対向する如く前記搬送駆動ローラの前記中央支持部を摺接支持する構成を有し、
前記搬送駆動ローラは、前記両端支持部にて回転可能に支持された状態で前記被搬送体押圧手段の押圧力により撓ませることが可能な可撓性を有し、
前記中支え手段は、前記搬送駆動ローラの軸心に対する湾曲変形により生じる前記搬送駆動ローラが回転した際の回転軸と直交する方向の外周面の変動を規制すべく、前記搬送駆動ローラの摺接支持面が前記搬送駆動ローラの外周面の変動規制面となる位置に配置される、ことを特徴とした搬送装置。
【請求項９】
請求項１〜８のいずれか１項に記載の搬送装置を備え、前記搬送装置で被記録材を所定の搬送方向へ所定の搬送量で搬送する構成を有する記録装置。
【手続補正書】
【提出日】平成19年9月12日(2007.9.12)
【手続補正１】
【補正対象書類名】明細書
【補正対象項目名】００１７
【補正方法】変更
【補正の内容】
【００１７】
上記のシャフト本体１５の一方（図の右側）の回転支持部１６側には、エアーチューブ１７内と連通する空気給排口１９が形成されている。この空気給排口１９には、適宜空気給排装置（図示せず）が接続され、この空気給排装置によってエアーチューブ１７内に空気が給排されるようになっている。なお、空気給排口１９には、逆止弁（図示せず）が取り付けられており、エアーチューブ１７内の空気が自然に外部流出しないようになっている。
【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
用紙搬送路の上流に配置され用紙を挟持しながら搬送する第１のローラを駆動する第１のモータと、前記用紙搬送路の下流に配置され用紙を挟持しながら搬送する第２のローラを駆動する第２のモータの制御を行うモータ制御装置であって、
前記第１のモータを駆動する第１の駆動手段と、
前記第２のモータを駆動する第２の駆動手段と、
前記第１の駆動手段が前記第１のモータで用紙を搬送するときに必要となった最大電流値を検知する検知手段と、
を備え、
前記第２の駆動手段は、用紙が前記第１のローラを通過し前記第２のローラに突入する前に、前記第２のモータの駆動電流値を前記最大電流値に基づいて設定する制御手段、
を有することを特徴とするモータ制御装置。
【請求項２】
前記制御手段は、前記第２のモータの駆動電流値を前記最大電流値に基づいて設定した後、駆動電流を低下させて用紙を搬送させることを特徴とする請求項１記載のモータ制御装置。
【請求項３】
前記第１及び第２のローラ間に配置され用紙の有無を検知する用紙検知手段を更に備え、
前記用紙検知手段が用紙有りを検知した時点から所定時間後に、前記第２の駆動手段は、前記第２のモータの駆動電流値を通常電流値である第１の電流値から前記第１の電流値よりも大きい第２の電流値に設定し、用紙が前記第２のローラに完全に挟持された状態である前記用紙検知手段が用紙無しを検知した時点で、前記第２のモータの駆動電流値を前記第２の電流値から前記第１の電流値に切り替えることを特徴とする請求項１記載のモータ制御装置。
【請求項４】
前記第１のモータは、内部にロータの位置を検出するロータ位置検出センサを有し、前記ロータ位置検出センサの出力に基づいてフィードバック制御されるステッピングモータであることを特徴とする請求項１記載のモータ制御装置。
【請求項５】
前記検知手段は、用紙が前記第１のローラに突入した際に前記第１のモータに流れる電流を検知することを特徴とする請求項１記載のモータ制御装置。
【手続補正２】
【補正対象書類名】明細書
【補正対象項目名】発明の名称
【補正方法】変更
【補正の内容】
【発明の名称】モータ制御装置
【手続補正３】
【補正対象書類名】明細書
【補正対象項目名】０００１
【補正方法】変更
【補正の内容】
【０００１】
本発明は、画像形成装置の用紙搬送系の駆動源として用いるステッピングモータの制御に適用されるモータ制御装置に関する。
【手続補正４】
【補正対象書類名】明細書
【補正対象項目名】００１８
【補正方法】変更
【補正の内容】
【００１８】
本発明の目的は、ステッピングモータの効率良い電流制御等を可能としたモータ制御装置を提供することにある。
【手続補正５】
【補正対象書類名】明細書
【補正対象項目名】００１９
【補正方法】変更
【補正の内容】
【００１９】
上述の目的を達成するために、本発明のモータ制御装置は、用紙搬送路の上流に配置され用紙を挟持しながら搬送する第１のローラを駆動する第１のモータと、前記用紙搬送路の下流に配置され用紙を挟持しながら搬送する第２のローラを駆動する第２のモータの制御を行うモータ制御装置であって、前記第１のモータを駆動する第１の駆動手段と、前記第２のモータを駆動する第２の駆動手段と、前記第１の駆動手段が前記第１のモータで用紙を搬送するときに必要となった最大電流値を検知する検知手段と、を備え、前記第２の駆動手段は、用紙が前記第１のローラを通過し前記第２のローラに突入する前に、前記第２のモータの駆動電流値を前記最大電流値に基づいて設定する制御手段、を有することを特徴とする。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
本発明によれば、第１のローラを駆動する第１のモータ及び第２のローラを駆動する第２のモータを通常電流値である第１の電流値で駆動し、第１のモータで用紙を搬送するときに必要となった最大電流値を検知し、用紙が第１のローラを通過し第２のローラに突入する前に、第２のモータの駆動電流値を最大電流値に基づいて設定する。これにより、第２のモータであるステッピングモータの脱調を防止するために従来のように紙種毎に最大電流値を設定すること無く、最適な電流値を設定することができ、更にステッピングモータにトルクがかかる最適のタイミングで電流値を設定することができるので、ステッピングモータの効率良い電流制御が可能となる。
【手続補正８】
【補正対象書類名】明細書
【補正対象項目名】００２２
【補正方法】変更
【補正の内容】
【００２２】
また、搬送される用紙の紙種が想定外（規格外）の紙種の場合でも、ステッピングモータの電流値を設定することが不要となる。
【手続補正９】
【補正対象書類名】明細書
【補正対象項目名】００２３
【補正方法】削除
【補正の内容】
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
画像が形成されたシートを積載した後、前記シートに対して処理を行うシート処理装置において、
前記処理を行うシートを積載するシート積載手段と、
前記シート積載手段の上流に配置され、前記シート積載手段上のシートが処理されている間、次に処理する１枚もしくは、複数枚のシートを重ね合わせて待機させ、処理終了後は前記待機させたシートを前記シート積載手段に向けて搬送するシート貯留手段と、
を備え、
前記シート貯留手段を、前記１枚もしくは、複数枚のシートを保持するシート保持手段と、前記シート保持手段を、前記保持したシートを前記シート積載手段に向けて搬送する方向に移動させる移動手段とにより構成することを特徴とするシート処理装置。
【請求項２】
前記シート保持手段は、前記１枚もしくは、複数枚のシートを吸着して保持するシート吸着手段を備え、前記移動手段は、前記保持したシートを前記シート積載手段に向けて搬送する方向に、前記シート吸着手段を回転させる回転部材を備えていることを特徴とする請求項１記載のシート処理装置。
【請求項３】
前記シート貯留手段は、前記シート吸着手段を前記回転部材により回転させ、所定枚数のシートを順次重ね合わせて吸着していくことを特徴とする請求項２記載のシート処理装置。
【請求項４】
前記シート貯留手段は、所定枚数のシートを順次重ね合わせて吸着していく際、上から重ねられるシートを所定距離先行するように重ね合わせることを特徴とする請求項３記載のシート処理装置。
【請求項５】
前記シート吸着手段のシート吸着力の大きさを制御する制御手段と、
前記シートの種類を識別もしくは設定するシート識別手段及び上記シート吸着手段に吸着されるシートの、前記シート吸着手段に対する吸着状態を検知する吸着状態検知手段のうちの少なくとも一方と、
を備え、
前記制御手段は、前記シート識別手段及び前記吸着状態検知手段の少なくとも一方からの情報に基づいて前記シート吸着手段のシート吸着力の大きさを制御することを特徴とする請求項２乃至４の何れか１項に記載のシート処理装置。
【請求項６】
前記シート吸着手段は、前記１枚もしくは、複数枚のシートを静電気により吸着して保持する無端状のベルト部材であり、前記制御手段は、前記シート識別手段及び前記吸着状態検知手段の少なくとも一方からの情報に基づいて前記無端状のベルト部材に印加する静電気の量を制御することを特徴とする請求項５記載のシート処理装置。
【請求項７】
前記シート吸着手段は、前記１枚もしくは、複数枚のシートをエアーにより吸着して保持するファンであることを特徴とする請求項５記載のシート処理装置。
【請求項８】
前記ファンは、前記回転部材に設けられ、前記回転部材と一体に回転することを特徴とする請求項７記載のシート処理装置。
【請求項９】
前記シート保持手段は、前記１枚もしくは、複数枚のシートを挟持するグリッパを備え、前記グリッパは前記移動手段に設けられ、前記グリッパにより保持したシートを前記シート積載手段に向けて搬送する方向に回転する回転部材であることを特徴とする請求項１記載のシート処理装置。
【請求項１０】
シートに画像を形成する画像形成部と、前記画像形成部により画像が形成されたシートを処理する前記請求項１乃至９の何れか１項記載のシート処理装置と、を有することを特徴とする画像形成装置。
【手続補正２】
【補正対象書類名】明細書
【補正対象項目名】００１０
【補正方法】変更
【補正の内容】
【００１０】
本発明は、画像が形成されたシートを積載した後、前記シートに対して処理を行うシート処理装置において、前記処理を行うシートを積載するシート積載手段と、前記シート積載手段の上流に配置され、前記シート積載手段上のシートが処理されている間、次に処理する１枚もしくは、複数枚のシートを重ね合わせて待機させ、処理終了後は前記待機させたシートを前記シート積載手段に向けて搬送するシート貯留手段と、を備え、前記シート貯留手段を、前記１枚もしくは、複数枚のシートを保持するシート保持手段と、前記シート保持手段を、前記保持したシートを前記シート積載手段に向けて搬送する方向に移動させる移動手段とにより構成することを特徴とするものである。
【手続補正書】
【提出日】平成19年9月14日(2007.9.14)
【手続補正１】
【補正対象書類名】特許請求の範囲
【補正対象項目名】請求項２
【補正方法】変更
【補正の内容】
【請求項２】
前記搬送手段が、前記製本手段で製本された前記シート束の１辺を前記裁断手段が裁断した後、該シート束を前記裁断手段から離間させて、該シート束の他の辺を前記裁断手段に対向するように回転させる回転機能を備え、
前記逃げ部が、前記束押え手段が前記シート束を押圧するとき糊付部に最初に対向する位置と、前記回転した前記シート束の糊付部に対向する位置とに形成されていることを特徴とする請求項１に記載のシート処理装置。
【手続補正２】
【補正対象書類名】明細書
【補正対象項目名】０００７
【補正方法】変更
【補正の内容】
【０００７】
本発明のシート処理装置は、前記搬送手段が、前記製本手段で製本された前記シート束の１辺を前記裁断手段が裁断した後、該シート束を前記裁断手段から離間させて、該シート束の他の辺を前記裁断手段に対向するように回転させる回転機能を備え、前記逃げ部が、前記束押え手段が前記シート束を押圧するとき糊付部に最初に対向する位置と、前記回転した前記シート束の糊付部に対向する位置とに形成されている。
【手続補正３】
【補正対象書類名】明細書
【補正対象項目名】００１０
【補正方法】変更
【補正の内容】
【００１０】
上記目的を達成するため本発明の画像形成装置は、シートに画像を形成する画像形成手段と、前記画像形成手段によって画像を形成されたシートを製本処理するシート処理装置と、
を備え、前記シート処理装置が、上記いずれか１つのシート処理装置である。
【手続補正４】
【補正対象書類名】明細書
【補正対象項目名】００１８
【補正方法】変更
【補正の内容】
【００１８】
さらに、複写機の装置本体Ａには、装置本体Ａを制御する制御部９を設けてあり、シート処理装置Ｂには、装置本体Ａの制御部９と、データ、制御信号等の送受信をして、シート処理装置Ｂを制御する中央演算処理装置（以下、「ＣＰＵ」という）２００とを設けてあるが、制御部９とＣＰＵ２００は一体化して、その一体化した制御部を装置本体Ａとシート処理装置との何れか一方に設けて、複写機Ｇの装置本体Ａとシート処理装置Ｂとを制御してもよい。
【手続補正書】
【提出日】平成19年3月8日(2007.3.8)
【手続補正１】
【補正対象書類名】明細書
【補正対象項目名】００６３
【補正方法】変更
【補正の内容】
【００６３】
まず、電圧波形Ａに従ってパルス電圧をガード電極２０に印加した場合の動作について説明する。なお、以下の説明において、ガード電極２０に印加するパルス電圧の電圧波形はガード電極２０に接続されたガード電極制御部３５において生成される。図５に示すように、電圧波形Ａに従えば、吐出電極１８に印加される駆動電圧の信号と同じ周波数を有し、その位相は駆動電圧信号よりも１８０度遅延したパルス電圧がガード電極２０に印加される。すなわち、吐出電極１８に印加される駆動電圧信号と逆相のパルス電圧信号がガード電極２０に印加される。パルス電圧の正電圧Ｖｇ＋は、例えば、＋３００［Ｖ］に設定され、負電圧Ｖｇ−は、例えば、−２００［Ｖ］に設定される。ガード電極２０には、インクの吐出及び非吐出に係わらず、正電圧Ｖｇ＋と負電圧Ｖｇ−が、一定の周期で交互に切り替わって印加される。
【手続補正２】
【補正対象書類名】明細書
【補正対象項目名】００９６
【補正方法】変更
【補正の内容】
【００９６】
色材としては、従来からインクジェットインク組成物、印刷用（油性）インキ組成物、あるいは静電写真用液体現像剤に用いられている顔料および染料であればどれでも使用可能である。
色材として用いる顔料としては、無機顔料、有機顔料を問わず、印刷の技術分野で一般に用いられているものを使用することができる。具体的には、例えば、カーボンブラック、カドミウムレッド、モリブデンレッド、クロムイエロー、カドミウムイエロー、チタンイエロー、酸化クロム、ビリジアン、コバルトグリーン、ウルトラマリンブルー、プルシアンブルー、コバルトブルー、アゾ系顔料、フタロシアニン系顔料、キナクリドン系顔料、イソインドリノン系顔料、ジオキサジン系顔料、スレン系顔料、ペリレン系顔料、ペリノン系顔料、チオインジゴ系顔料、キノフタロン系顔料、金属錯体顔料、等の従来公知の顔料を特に限定なく用いることができる。
色材として用いる染料としては、アゾ染料、金属錯塩染料、ナフトール染料、アントラキノン染料、インジゴ染料、カーボニウム染料、キノンイミン染料、キサンテン染料、アニリン染料、キノリン染料、ニトロ染料、ニトロソ染料、ベンゾキノン染料、ナフトキノン染料、フタロシアニン染料、金属フタロシアニン染料、等の油溶性染料が好ましく例示される。
【手続補正書】
【提出日】平成19年3月26日(2007.3.26)
【手続補正１】
【補正対象書類名】明細書
【補正対象項目名】発明の名称
【補正方法】変更
【補正の内容】
【発明の名称】インクジェット記録用媒体
【手続補正２】
【補正対象書類名】明細書
【補正対象項目名】特許請求の範囲
【補正方法】変更
【補正の内容】
【特許請求の範囲】
【請求項１】  基材上に、平均粒子直径が１〜２０μｍのシリカアルミナ複合粒子と、平均粒子直径が１〜２０μｍのシリカ粒子とを含むインク受容層を有するインクジェット記録用媒体であって、前記シリカ粒子が、シリカアルミナ複合粒子１００質量部に対して、５０〜２０００質量部含まれるインクジェット記録用媒体。
【請求項２】  前記シリカアルミナ複合粒子が、平均細孔半径が１０〜３０ｎｍであり、かつ細孔容積が０．３〜３．０ｃｍ3／ｇであり、前記シリカ粒子が、平均細孔半径が５〜３０ｎｍであり、かつ細孔容積が０．３〜３．０ｃｍ3／ｇである請求項１記載のインクジェット記録用媒体。
【手続補正書】
【提出日】平成19年7月17日(2007.7.17)
【手続補正１】
【補正対象書類名】明細書
【補正対象項目名】特許請求の範囲
【補正方法】変更
【補正の内容】
【特許請求の範囲】
【請求項１】
遊技状態に応じて仮想３次元空間内でオブジェクトを変動させて、その様子を前記仮想３次元空間内の所与の視点に基づいて表示画面に表示する遊技機において、
基準点を中心として周辺に延びた複数の延出部が設けられたオブジェクトを記憶したオブジェクト記憶手段と、
前記オブジェクト記憶手段から読み出したオブジェクトを前記仮想３次元空間内に配置するオブジェクト配置手段と、
前記仮想３次元空間内に配置されたオブジェクトを所定方向に回転させた場合に、回転方向の後側の延出部が回転方向の前側の延出部の位置にほぼ重なるように、前記基準点を中心に前記オブジェクトを所定方向に回転させるオブジェクト回転手段と、
前記回転されたオブジェクトを含む前記仮想３次元空間内の様子を示す表示画像を前記視点に基づいて生成する表示画像生成手段とによって生成された少なくとも１画面分の表示画像を記憶する画像記憶手段と、
前記画像記憶手段に記憶された表示画像を表示画面に順次表示して、前記オブジェクトの延出部が各々動作をする様子を表示する表示手段とを備え、
前記表示画像生成手段は、
前記仮想３次元空間内に配置されるオブジェクトの縦横比を変形補正するとともに、
前記変形補正されたオブジェクトが配置された前記仮想３次元空間内の様子を前記視点に基づいて設定された投影平面に平行投影し、
前記平行投影されたオブジェクトの画像を、変形補正しない背景画像上に重ねて配置した表示画像を生成することを特徴とする遊技機。
【請求項２】
遊技状態に応じて仮想３次元空間内でオブジェクトを変動させて、その様子を前記仮想３次元空間内の所与の視点に基づいて表示画面に表示する遊技機において、
基準点を中心とする特定回転方向の一定角度ごとに放射状に延びた一連の動作におけるそれぞれ異なる形態の複数の延出部が設けられたオブジェクトを記憶したオブジェクト記憶手段と、
前記オブジェクト記憶手段から読み出したオブジェクトを前記仮想３次元空間内に配置するオブジェクト配置手段と、
前記仮想３次元空間内に配置されたオブジェクトの基準点を中心とする特定回転方向に前記オブジェクトの各延出部を一定角度ずつ回転させるオブジェクト回転手段と、
前記延出部が回転されたオブジェクトを含む前記仮想３次元空間内の様子を示す表示画像を前記視点に基づいて生成する表示画像生成手段とによって生成された少なくとも１画面分の表示画像を記憶する画像記憶手段と、
前記画像記憶手段に記憶された表示画像を表示画面に順次表示して、前記オブジェクトの各延出部が一連の動作をする様子を表示する表示手段とを備え、
前記表示画像生成手段は、
前記仮想３次元空間内に配置されるオブジェクトの縦横比を変形補正するとともに、
前記変形補正されたオブジェクトが配置された前記仮想３次元空間内の様子を前記視点に基づいて設定された投影平面に平行投影し、
前記平行投影されたオブジェクトの画像を、変形補正しない背景画像上に重ねて配置した表示画像を生成することを特徴とする遊技機。
【請求項３】
前記画像記憶手段は、前記１画面分の表示画像を記憶する記憶領域を複数備え、
前記表示手段は、前記複数の記憶領域のうちの１つを選択し、該選択された記憶領域に記憶された表示画像を前記表示画面に出力するものであることを特徴とする請求項１又は２に記載の遊技機。
【手続補正書】
【提出日】平成19年6月4日(2007.6.4)
【手続補正１】
【補正対象書類名】明細書
【補正対象項目名】特許請求の範囲
【補正方法】変更
【補正の内容】
【特許請求の範囲】
【請求項１】
遊技球が抽選口に入球または抽選口を通過したことに起因して当たり外れの抽選を行う抽選手段と、
該抽選の結果を表示する表示手段と、
前記抽選が当たりであったことを条件として作動して入賞が困難または不可能な状態から入賞容易な状態になる特定入賞装置とを備える
弾球遊技機において、
前記当たりになる確率（以下、抽選確率という。）が相対的に低い通常モードと前記抽選確率が前記通常モードよりも高い特別モードとを設け、
前記通常モードで前記当たりが発生したことを必須条件として該通常モードから前記特別モードに切り替えて、該特別モードにてＮ回（Ｎは、４以上の整数値）の前記当たりが発生するまで前記特別モードを維持するモード変更手段を備え、
１回の前記当たりについて前記特定入賞装置が作動する回数Ｍと前記Ｎとは、
Ｍ×Ｎ≦３２の範囲で定められる
ことを特徴とする弾球遊技機。
【請求項２】
請求項１記載の弾球遊技機において、
前記回数Ｍが５以下であることを特徴とする弾球遊技機。
【手続補正２】
【補正対象書類名】明細書
【補正対象項目名】０００６
【補正方法】変更
【補正の内容】
【０００６】
【課題を解決するための手段および発明の効果】
上記課題を解決するための請求項１記載の弾球遊技機は、遊技球が抽選口に入球または抽選口を通過したことに起因して当たり外れの抽選を行う抽選手段と、該抽選の結果を表示する表示手段と、前記抽選が当たりであったことを条件として作動して入賞が困難または不可能な状態から入賞容易な状態になる特定入賞装置とを備える弾球遊技機において、前記当たりになる確率（以下、抽選確率という。）が相対的に低い通常モードと前記抽選確率が前記通常モードよりも高い特別モードとを設け、前記通常モードで前記当たりが発生したことを必須条件として該通常モードから前記特別モードに切り替えて、該特別モードにてＮ回（Ｎは、４以上の整数値）の前記当たりが発生するまで前記特別モードを維持するモード変更手段を備え、
１回の前記当たりについて前記特定入賞装置が作動する回数Ｍと前記Ｎとは、
Ｍ×Ｎ≦３２の範囲で定められる
ことを特徴とする。
【手続補正３】
【補正対象書類名】明細書
【補正対象項目名】０００７
【補正方法】変更
【補正の内容】
【０００７】
この弾球遊技機は、通常モードで当たりが発生したことを必須条件として通常モードから特別モードに切り替わる。特別モードの抽選確率Ｑは通常モードの抽選確率Ｐよりも高いので当たりが発生しやすい。また、一旦特別モードになると、Ｎ回（Ｎ≧４）の当たりが発生するまで特別モードが維持される。つまり、特別モードになると頻繁に当たりが発生して表示手段において当たりの表示がなされるので、遊技者は当たりの表示（例えば７７７等の大当たりの図柄）を何回も見ることができ、大当たりの快感を感じる。また、リーチばかりで当たらないという不満は解消される。
ところで、１回の大当たりで獲得可能な賞球数が従来の弾球遊技機と同様に多くて、特別モードで次々と大当たりを発生させるのでは、特別モードへの切り替わり条件を厳しく設定しなければならないので（通常モードでの抽選確率Ｐをきわめて低確率にする必要があるので）、いわゆる射幸心を煽るものとなる危険性がある。
しかし、請求項１記載の弾球遊技機では、１回の前記当たりについて特定入賞装置が作動する回数Ｍと１回の特別モードでの当たり回数Ｎとは、Ｍ×Ｎ≦３２の範囲で定められる。すなわち、１回の当たり毎に特定入賞装置が作動する回数Ｍと１回の特別モードでの当たり回数Ｎとを組み合わせて制限することで、特別モードにおける一連の当たり（Ｎ回の当たり）で獲得可能な賞球数を適切な範囲に制限できる。
具体的には、Ｍ×Ｎ≦３２とすると、Ｎ回の一連の当たり中に特定入賞装置が作動する回数の上限が３２回となるから、１回の作動時に１０個の入賞が許容され、１入賞について１５個の賞球が払い出される設定として、獲得可能な賞球数は１０×１５×３２＝４８００個となる。これは、従来の弾球遊技機において大当たりが２回発生した場合とほぼ同等である。
さらに、請求項２記載のように、１回の当たりについて特定入賞装置が作動する回数Ｍを５以下に制限してもよい。
このように、請求項１または請求項２記載の構成とすることで、射幸心を煽ることを回避できる。
【手続補正４】
【補正対象書類名】明細書
【補正対象項目名】０００９
【補正方法】削除
【補正の内容】
【手続補正５】
【補正対象書類名】明細書
【補正対象項目名】０００１０
【補正方法】削除
【補正の内容】
【手続補正６】
【補正対象書類名】明細書
【補正対象項目名】０００１１
【補正方法】削除
【補正の内容】
【手続補正７】
【補正対象書類名】明細書
【補正対象項目名】００１２
【補正方法】変更
【補正の内容】
【００１２】
通常モードから特別モードへの切り替えについては、通常モードでの抽選が当たりであれば必ず特別モードに切り替わってもよいが、その当たりが特定当たりであったときに限って特別モードに切り替わる構成とすると、通常モードにおける抽選確率Ｐを高く設定することが可能になる。したがって、通常モードにあっても比較的頻繁に大当たりを発生させることが可能になる。これにより、通常モードでも比較的頻繁に当たりの表示がなされるので、請求項１又は２の効果を向上できる。また、特定当たりか否かで遊技者を楽しませることもできる。
【手続補正８】
【補正対象書類名】明細書
【補正対象項目名】００１３
【補正方法】変更
【補正の内容】
【００１３】
なお、特定当たりは抽選手段による抽選処理において決めてもよいし、抽選結果が当たりになった際に特定当たりにするか否かの抽選（二次抽選）を行ってもよい。
また、請求項１または２記載の弾球遊技機において、前記通常モードでの前記当たりが確変当たりであると、該確変当たりに起因した前記特別モード後の前記通常モードにおける前記抽選確率を高める確率向上手段を備えると、特別モードが終了してから比較的短い時間で再び特別モードになる可能性が高く、遊技者を楽しませることができる。
【手続補正書】
【提出日】平成19年7月6日(2007.7.6)
【手続補正１】
【補正対象書類名】明細書
【補正対象項目名】特許請求の範囲
【補正方法】変更
【補正の内容】
【特許請求の範囲】
【請求項１】
遊技の制御を司る制御手段を基板上に固着手段にて固着してなる遊技機において、
少なくとも前記制御手段が基板から取り外された場合にそのことが痕跡として残存しうるよう痕跡残存手段を前記基板に設けるとともに、
前記痕跡残存手段を前記固着手段とは別に設けたことを特徴とする遊技機。
【請求項２】
遊技の制御を司る制御手段を基板上に固着手段にて固着してなる遊技機において、
少なくとも前記固着手段が融解された場合にそのことが痕跡として残存しうるよう痕跡残存手段を前記固着手段とは別に設けたことを特徴とする遊技機。
【請求項３】
遊技の制御を司る制御手段を内包するように封止体にて封止し、該封止体には前記制御手段に接続される導電体の内端側を内包する一方、該導電体の外端側を前記封止体から露出させ、該導電体の外端側を基板の裏面側に突出させた状態で少なくとも裏面側を固着手段で固定してなる遊技機において、
少なくとも前記固定部分に対応させて、前記導電体の突出部分に対応した孔を有する痕跡残存手段を設け、
少なくとも前記固着手段が融解された場合にそのことが痕跡として残存しうるよう構成したことを特徴とする遊技機。
【請求項４】
遊技の制御を司るＩＣを内包するように封止体にて封止し、該封止体には前記ＩＣに接続される複数本のリードの内端側を内包する一方、該リードの外端側を前記封止体から露出させてなるＩＣパッケージと、
前記ＩＣパッケージの実装された基板とを具備し、
前記リードの外端側を、前記基板に設けられた透孔に挿通させて前記基板の裏面側に突出させた状態で、前記リードの外端側と、前記基板の裏面側とを固着手段で固着してなる遊技機において、
前記基板の裏面側には、前記透孔に対応した孔を有するシール部材を貼着し、
少なくとも前記固着手段が加熱融解された場合、そのことが前記シール部材に痕跡となって残存するよう構成したことを特徴とする遊技機。
【請求項５】
前記シール部材は、前記固着手段を被覆するようにして貼着されていることを特徴とする請求項４に記載の遊技機。
【請求項６】
前記シール部材は、引剥し不能に貼着されていることを特徴とする請求項４又は５に記載の遊技機。
【手続補正書】
【提出日】平成19年7月6日(2007.7.6)
【手続補正１】
【補正対象書類名】明細書
【補正対象項目名】特許請求の範囲
【補正方法】変更
【補正の内容】
【特許請求の範囲】
【請求項１】
遊技の制御を司る制御手段を基板上に設けてなる遊技機において、
加熱に基づく前記制御手段の取り外しを不能としたことを特徴とする遊技機。
【請求項２】
遊技の制御を司る制御手段を基板上に第１の固着手段で実装してなる遊技機において、前記制御手段を、前記第１の固着手段の溶融温度では融解又は軟化しない第２の固着手段にて固定したことを特徴とする遊技機。
【請求項３】
遊技の制御を司る制御手段を内包するように封止体にて封止し、該封止体には前記制御手段に接続される導電体の内端側を内包する一方、該導電体の外端側を前記封止体から露出させ、該導電体の外端側を基板の裏面側に突出させた状態で少なくとも裏面側を第１の固着手段で固着してなる遊技機において、
少なくとも前記第１の固着手段を、該第１の固着手段の溶融温度では融解又は軟化しない第２の固着手段にて封入せしめたことを特徴とする遊技機。
【請求項４】
前記第１の固着手段は、導電性を有しており、第２の固着手段は、非導電性素材により構成されていることを特徴とする請求項３に記載の遊技機。
【請求項５】
遊技の制御を司る制御手段を基板上に固定してなる遊技機において、少なくとも前記固定部分を操作不能とする被覆保護手段を設けたことを特徴とする遊技機。
【請求項６】
遊技の制御を司る制御手段を内包するように封止体にて封止し、該封止体には前記制御手段に接続される導電体の内端側を内包する一方、該導電体の外端側を前記封止体から露出させ、該導電体の外端側を基板の裏面側に突出させた状態で少なくとも裏面側を固着手段で固定してなる遊技機において、
少なくとも前記固定部分を操作不能とすべく被覆保護手段を設けたことを特徴とする遊技機。
【請求項７】
遊技の制御を司る制御手段を内包するように封止体にて封止し、該封止体には前記制御手段に接続される導電体の内端側を内包する一方、該導電体の外端側を前記封止体から露出させ、該導電体の外端側を基板に固着手段で固定してなる遊技機において、
少なくとも前記封止体、及び、前記基板の表面側に位置する導電体を操作不能とすべく被覆保護手段を設けたことを特徴とする遊技機。
【請求項８】
遊技の制御を司る制御手段を内包するように封止体にて封止し、該封止体には前記制御手段に接続される導電体の内端側を内包する一方、該導電体の外端側を前記封止体から露出させ、該導電体の外端側を基板の裏面側に突出させた状態で少なくとも裏面側を固着手段で固着してなる遊技機において、
少なくとも前記固定部分を操作不能とする第１の被覆保護手段と、
少なくとも前記封止体、及び、前記基板の表面側に位置する導電体を操作不能とする第２の被覆保護手段とをそれぞれ設けたことを特徴とする遊技機。
【請求項９】
遊技の制御を司るＩＣを内包するように封止体にて封止し、該封止体には前記ＩＣに接続される複数本のリードの内端側を内包する一方、該リードの外端側を前記封止体から露出させてなるＩＣパッケージと、
前記ＩＣパッケージの実装された基板とを具備し、
前記リードの外端側を、前記基板に設けられた透孔に挿通させて前記基板の裏面側に突出させた状態で、前記リードの外端側と、前記基板の裏面側とを固着手段で固着してなる遊技機において、
前記基板の裏面側には、前記固着手段、及び、前記リードの突出部分を覆うカバーを設けたことを特徴とする遊技機。
【請求項１０】
前記カバーを取外不能としたことを特徴とする請求項９に記載の遊技機。
【請求項１１】
遊技の制御を司るＩＣを内包するように封止体にて封止し、該封止体には前記ＩＣに接続される複数本のリードの内端側を内包する一方、該リードの外端側を前記封止体から露出させてなるＩＣパッケージと、
前記ＩＣパッケージの実装された基板とを具備し、
前記リードの外端側を、前記基板に設けられた透孔に挿通させて前記基板の裏面側に突出させた状態で、前記リードの外端側と、前記基板の裏面側とを固着手段で固着してなる遊技機において、
前記基板の裏面側には、前記固着手段、及び、前記リードの突出部分を囲む第１カバーを設けるとともに、当該第１カバー内周側に位置する少なくとも前記固着手段を当該固着手段の溶融温度では融解又は軟化しない固着素材にて封入せしめ、
前記基板の表面側には、前記封止体、及び、前記基板の表面側に位置するリードを囲む第２カバーを設けるとともに、当該第２カバー内周側に位置する前記封止体、及び、前記基板の表面側に位置するリードを前記固着素材にて封入せしめたことを特徴とする遊技機。
【請求項１２】
遊技の制御を司るＩＣを内包するように封止体にて封止し、該封止体には前記ＩＣに接続される複数本のリードの内端側を内包する一方、該リードの外端側を前記封止体から露出させてなるＩＣパッケージと、
前記ＩＣパッケージの実装された基板とを具備し、
前記リードの外端側を、前記基板に設けられた透孔に挿通させて前記基板の裏面側に突出させた状態で、前記リードの外端側と、前記基板の裏面側とを固着手段で固着してなる遊技機において、
前記基板の裏面側には、前記固着手段、及び、前記リードの突出部分を覆う第１カバーを設け、
前記基板の表面側には、前記封止体、及び、前記基板の表面側に位置するリードを覆う第２カバーを設けたことを特徴とする遊技機。
【請求項１３】
前記第１カバー及び第２カバーを取外不能としたことを特徴とする請求項１２に記載の遊技機。
【手続補正書】
【提出日】平成19年6月22日(2007.6.22)
【手続補正１】
【補正対象書類名】明細書
【補正対象項目名】特許請求の範囲
【補正方法】変更
【補正の内容】
【特許請求の範囲】
【請求項１】  突起部によりベニヤ単板の繊維方向に所定長さの第１切込を、該繊維方向及び繊維方向と直交する方向に所定間隔で多数形成し、次いで第１切込に対し繊維方向と直交する方向の間隔が４ｍｍ以下であり、且つ繊維方向と直交する方向から見て繊維方向で隣り合う２個の第１切込の間となる箇所に繊維方向に連続する第２切込を形成するベニヤ単板のテンダーライジング方法。
【請求項２】  突起部によりベニヤ単板の繊維方向に所定長さの第１切込を、該繊維方向及び繊維方向と直交する方向に所定間隔で多数形成し、次いで第１切込に対し繊維方向と直交する方向の間隔が４ｍｍ以下であり、且つ、繊維方向で隣り合う２個の第１切込の少なくとも一方と、繊維方向と直交する方向から見て重なり合う長さで繊維方向に連続する第２切込を形成するベニヤ単板のテンダーライジング方法。
【請求項３】  ベニヤ単板が未乾燥ベニヤ単板である請求項１又は２項記載のベニヤ単板のテンダーライジング方法。
【請求項４】  ベニヤ単板が厚さ６ｍｍ以下である請求項１乃至３項記載のいずれかに記載のベニヤ単板のテンダーライジング方法。
【請求項５】  一方のロールの周面には半径方向に突出し回転方向に所定長さ連続する突起部を回転方向及び軸中心線方向に間隔をおいて多数備え、他方のロールは滑らかな周面を有し、互いに軸中心線方向を平行として配置され、少なくとも何れか１個のロールが回転駆動させられる一対の回転自在の第１ロール群と、
同じく一方のロールの周面には半径方向に突出し回転方向に所定長さ連続する突起部を回転方向及び軸中心線方向に間隔をおいて多数備え、他方のロールは滑らかな周面を有し互いに軸中心線方向を平行として配置され、少なくとも何れか１個のロールが回転駆動させられる一対の回転自在の第２ロール群とを所定間隔をおいて設け、
第１ロール群の一方のロールに対する突起部の位置、第２ロール群の一方のロールの突起部の位置、及び第１ロール群と第２ロール群との前記所定間隔を、
第１ロール群に繊維方向と平行に挿入されたベニヤ単板に突起部により形成された第１切込に対し、繊維方向と直交する方向の間隔が４ｍｍ以下であり、且つ繊維方向と直交する方向から見て繊維方向で隣り合う２個の第１切込の間となる箇所に繊維方向に連続する第２切込が形成される様に、各々設定されているベニヤ単板のテンダーライジング装置。
【請求項６】  第１ロール群及び第２ロール群の一方のロールの周面に設けられた突起部が、ロールの回転方向と直交する方向の断面での先端の角度が６０度以内である二等辺三角形であり、更には該突起部の半径方向の先端には、該ロールを軸中心線方向から見た時、該ロールの軸中心線方向で相対する斜面のなす角度が７０度以上となっているＶ字状又はＵ字状の切欠部が該回転方向に多数形成されている請求項５記載のベニヤ単板のテンダーライジング装置。
【手続補正書】
【提出日】平成19年6月7日(2007.6.7)
【手続補正１】
【補正対象書類名】明細書
【補正対象項目名】特許請求の範囲
【補正方法】変更
【補正の内容】
【特許請求の範囲】
【請求項１】  
両端が開口した集水部を有し、前記集水部の周囲に浄水用濾材を設けた浄水カートリッジであって、カートリッジ両端部の形状が、それぞれ反対側のカートリッジ端部と互いに水封して嵌合固定が可能な形状であることを特徴とする浄水カートリッジ。
【請求項２】  
前記嵌合固定の方法が、ネジ嵌合、バイヨネット嵌合、爪と溝の嵌合、凹凸の圧入嵌合であることを特徴とする請求項１に記載の浄水カートリッジ。
【請求項３】
集水部の両端それぞれに、対を為すカートリッジ接続部を設け、かかる接続部がカートリッジの両端部を形成している請求項１または２に記載の浄水カートリッジ。
【請求項４】
浄水カートリッジの周囲に、カートリッジの移動防止用の突起を複数個設けたことを特徴とする請求項１〜３いずれか一項に記載の浄水カートリッジ。
【請求項５】  
浄水カートリッジの接続部を構成する部材と、突起を構成する部材が一体であることを特徴とする請求項１〜４いずれか一項に記載の浄水カートリッジ。
【請求項６】  
ハウジング内に請求項１〜５いずれか一項に記載された浄水カートリッジを固定した部材を有する浄水器であって、前記浄水カートリッジはハウジング内での両端部を嵌合固定により直列に複数個直列に接続したことを特徴とする浄水器。
【手続補正２】
【補正対象書類名】明細書
【補正対象項目名】００１０
【補正方法】変更
【補正の内容】
【００１０】
【課題を解決するための手段】
すなわち、本願発明の要旨は、両端が開口した集水部を有し、前記集水部の周囲に浄水用濾材を設けた浄水カートリッジであって、カートリッジ両端部の形状が、それぞれ反対側のカートリッジ端部と互いに水封して嵌合固定が可能な形状であることを特徴とする浄水カートリッジ、にある。
【手続補正３】
【補正対象書類名】明細書
【補正対象項目名】００１１
【補正方法】変更
【補正の内容】
【００１１】
かかる構成をとると、複数個のカートリッジを直列に連結した際に圧力損失が少なくなる。さらに、前記浄水用濾過材の形状が円筒形であると、濾材を通過する時の水の通路長が等しくなり、濾材利用効率が高くなるため好ましい。
【手続補正書】
【提出日】平成19年2月23日(2007.2.23)
【手続補正１】
【補正対象書類名】明細書
【補正対象項目名】特許請求の範囲
【補正方法】変更
【補正の内容】
【特許請求の範囲】
【請求項１】  端末装置から伝送路を介して送信される情報に基づきキャラクターがゲームに登場するキャラクター育成型のゲームの演算を行い、当該ゲームのゲーム情報を前記端末装置へ向け配信するゲームデータ配信装置を含むゲームシステムにおいて、
前記端末装置を用いゲームに参加登録するプレーヤが入力したメールアドレスを含む個人情報を登録用の情報として前記伝送路を介して前記端末装置から受付ける手段と、
受付けた前記登録用の情報に基づき前記参加登録プレーヤ用のユーザデータ記憶領域を確保し、前記ユーザデータ記憶領域に、前記プレーヤのＩＤ情報に関連付けて前記個人情報を含むゲーム用ユーザデータを記憶する登録処理を行う手段と、
前記参加登録プレーヤの前記端末装置からのゲームへのアクセスを繰り返し受け付け、プレーヤがアクセスしプレイするゲーム中には、前記ユーザデータ記憶領域に記憶されたユーザデータに基づきキャラクター育成型のゲームのゲーム情報の演算を前記アクセスが終了するまで行うとともに、ゲーム中断中にも前記ユーザデータに基づき前記キャラクターが成長するゲーム情報の演算を行うゲーム情報生成手段と、
前記演算により求められたゲーム情報に基づき前記ユーザデータを更新する処理を行う手段と、
前記プレーヤがアクセスしプレイするゲーム中には、前記ゲーム情報を前記伝送路を介して端末装置に提供する送信手段と、
を含み、
前記ゲーム情報生成手段は、
ゲーム中断中の前記ユーザーデータに基づき、前記プレーヤのゲーム情報の一部として前記キャラクターの育成段階に応じたメールを所与の条件に従い生成し、
前記送信手段は、
前記プレーヤの前記ユーザーデータに含まれるメールアドレス宛に、前記生成されたメールを送信することを特徴とするゲームシステム。
【請求項２】  請求項１において、
前記ゲーム情報生成手段は、
前記キャラクターの育成段階に応じた表現のメールを生成することを特徴とするゲームシステム。
【請求項３】  請求項１、２のいずれかにおいて、
前記ゲーム情報生成手段は、
前記キャラクターの画像を含むメールを生成することを特徴とするゲームシステム。
【請求項４】  請求項１〜３のいずれかにおいて、
前記ゲーム情報生成手段は、
前記キャラクターの音声を含むメールを生成することを特徴とするゲームシステム。
【請求項５】  請求項１〜４のいずれかにおいて、
前記個人情報には、プレーヤの生年月日が含まれ、
前記送信手段は、
前記ユーザーデータに含まれる生年月日データに基づき、前記ゲーム情報生成手段によって生成されたメールを送信することを特徴とするゲームシステム。
【請求項６】  請求項１〜５のいずれかにおいて、
前記プレーヤが前記端末装置を介してアクセスしプレイするゲーム中における課金情報を演算する手段を含み、
演算した課金情報を前記プレーヤに伝達することを特徴とするゲームシステム。
【請求項７】  端末装置から伝送路を介して送信される求情報に基づきキャラクターがゲームに登場するキャラクター育成型のゲームの演算を行い、当該ゲームのゲーム情報を前記端末装置へ向け配信するゲームデータ配信装置としてコンピュータを機能させるプログラムが記憶されたコンピュータ読み取り可能な情報記憶媒体において、
前記プログラムは、
前記端末装置を用いゲームに参加登録するプレーヤが入力したメールアドレスを含む個人情報を登録用の情報として前記伝送路を介して前記端末装置から受付ける手段と、
受付けた前記登録用の情報に基づき前記参加登録プレーヤ用のユーザデータ記憶領域を確保し、前記ユーザデータ記憶領域に、前記プレーヤのＩＤ情報に関連付けて前記個人情報を含むゲーム用ユーザデータを記憶する登録処理を行う手段と、
前記参加登録プレーヤの前記端末装置からのゲームへのアクセスを繰り返し受け付け、プレーヤがアクセスしプレイするゲーム中には、前記ユーザデータ記憶領域に記憶されたユーザデータに基づきキャラクター育成型のゲームのゲーム情報の演算を前記アクセスが終了するまで行うとともに、ゲーム中断中にも前記ユーザデータに基づき前記キャラクターが成長するゲーム情報の演算を行うゲーム情報生成手段と、
前記演算により求められたゲーム情報に基づき前記ユーザデータを更新する処理を行う手段と、
前記プレーヤがアクセスしプレイするゲーム中には、前記ゲーム情報を前記伝送路を介して端末装置に提供する送信手段と、してコンピュータを機能させ、
前記ゲーム情報生成手段は、
ゲーム中断中の前記ユーザーデータに基づき、前記プレーヤのゲーム情報の一部として前記キャラクターの育成段階に応じたメールを所与の条件に従い生成し、
前記送信手段は、
前記プレーヤの前記ユーザーデータに含まれるメールアドレス宛に、前記生成されたメールを送信することを特徴とする情報記憶媒体。
【請求項８】  請求項７において、
前記ゲーム情報生成手段は、
前記キャラクターの育成段階に応じた表現のメールを生成することを特徴とする情報記憶媒体。
【請求項９】  請求項７、８のいずれかにおいて、
前記ゲーム情報生成手段は、
前記キャラクターの画像を含むメールを生成することを特徴とする情報記憶媒体。
【請求項１０】  請求項７〜９のいずれかにおいて、
前記ゲーム情報生成手段は、
前記キャラクターの音声を含むメールを生成することを特徴とする情報記憶媒体。
【請求項１１】  請求項７〜１０のいずれかにおいて、
前記個人情報には、プレーヤの生年月日が含まれ、
前記送信手段は、前記ユーザーデータに含まれる生年月日データに基づき、前記ゲーム情報生成手段によって生成されたメールを送信することを特徴とする情報記憶媒体。
【請求項１２】  請求項７〜１１のいずれかにおいて、
前記プレーヤが前記端末装置を介してアクセスしプレイするゲーム中における課金情報を演算する手段を含み、
演算した課金情報を前記プレーヤに伝達することを特徴とする情報記憶媒体。
【手続補正書】
【提出日】平成18年12月11日(2006.12.11)
【手続補正１】
【補正対象書類名】明細書
【補正対象項目名】０００２
【補正方法】変更
【補正の内容】
【０００２】
蒸気タービン内において、バケット（翼形部、プラットホーム及びダブテール）は、蒸気からエネルギーを取り出しながら流れを方向転換させる。反動型タービン設計においては、これらの個々のバケットは、タービンロータの周りの円周方向溝内に滑らせて挿入される。ロータの軸方向荷重面に対するバケットフック後部（下流側）の周りには、漏洩回路が存在する。この漏洩はバケットを迂回し、従ってエネルギーが流れから取り出されないことになる。この領域におけるこのフックを越える漏洩は、組み立て上の問題及びシールされているこの軸方向荷重面からバケットを浮き上がらせることになるバケット荷重の問題に起因して、著しく大きくなる可能性がある。
【特許文献１】米国特許４０２２５４５号明細書
【特許文献２】米国特許４４８０９５８号明細書
【特許文献３】米国特許４７２５２００号明細書
【特許文献４】米国特許５１２９７８３号明細書
【特許文献５】米国特許５３５８２６２号明細書
【特許文献６】米国特許５５４４８７３号明細書
【特許文献７】米国特許５６０５４３８号明細書
【特許文献８】米国特許５６３０７００号明細書
【特許文献９】米国特許６３８６８２５号明細書
【特許文献１０】米国特許６１２６３８９号明細書
【特許文献１１】米国特許６１９０１２０号明細書
【特許文献１２】米国特許６３３１０９６号明細書
【特許文献１３】米国特許６３４３９１１号明細書
【特許文献１４】米国特許６３７５４１５号明細書
【特許文献１５】米国特許６３７５４２９号明細書
【特許文献１６】米国特許６３９８４８９号明細書
【特許文献１７】米国特許６４０２４６６号明細書
【特許文献１８】米国特許６３９０７６９号明細書
【特許文献１９】米国特許６４１３０４０号明細書
【特許文献２０】米国特許６４１８６１８号明細書
【特許文献２１】米国特許６４１９４４５号明細書
【特許文献２２】米国特許６４２２８１０号明細書
【特許文献２３】米国特許６４３５８１４号明細書
【特許文献２４】米国特許６４４６９７９号明細書
【特許文献２５】米国特許６４５３５５７号明細書
【特許文献２６】米国特許６４６４４５３号明細書
【特許文献２７】米国特許６４６４４５６号明細書